【手続補正書】
【提出日】平成18年10月18日(2006.10.18)
【手続補正１】
【補正対象書類名】特許請求の範囲
【補正対象項目名】全文
【補正方法】変更
【補正の内容】
【特許請求の範囲】
【請求項１】
観察対象の上に集光したレーザ光を２次元走査しながら顕微鏡画像を取得する共焦点レーザ顕微鏡であって、
前記観察対象により反射された反射光から該観察対象の共焦点画像および非共焦点画像を同時に生成する画像生成手段と、
前記画像生成手段で生成された前記共焦点画像と非共焦点画像を同一画面上に並べて表示する表示手段と
を備えることを特徴とする共焦点レーザ顕微鏡。
【請求項２】
前記反射光をピンホールを介して検出し、生成した画像である前記共焦点画像と、前記反射光をピンホールを介さずに検出し、生成した画像、または、カメラにより撮像した画像である前記非共焦点画像を、前記表示手段の画面上に並べて表示することを特徴とする請求項１記載の共焦点レーザ顕微鏡。
【請求項３】
さらに、比較観察のための保存画像を格納する画像格納手段を備え、前記共焦点画像、非共焦点画像、および保存画像のうち少なくとも２つの画像を前記表示手段の画面上に並べて表示することを特徴とする請求項２記載の共焦点レーザ顕微鏡。
【請求項４】
前記画面上に並べて表示された複数の画像のズーム倍率、表示サイズ、表示位置、明るさ、およびコントラストのうち少なくとも１つの属性を変更する操作が可能な操作手段と、
前記操作手段により前記複数の画像のうち１つの画像を選択してズーム倍率、表示サイズ、表示位置、明るさ、およびコントラストのうち少なくとも１つの属性を変更操作した場合、選択されていない画像の属性を連動または独立して変更させる連動/非連動選択手段と、
を備えることを特徴とする請求項１記載の共焦点レーザ顕微鏡。
【請求項５】
前記表示手段は、前記画面上に並べて表示された複数の画像の輝度プロファイルを該画面上に併せて表示すること、
を特徴とする請求項１記載の共焦点レーザ顕微鏡。
【請求項６】
輝度プロファイル操作手段をさらに備え、前記輝度プロファイル操作手段の操作により前記複数の画像の輝度プロファイルの表示/非表示、スケールの変更、および表示位置の変更のうち少なくとも１つを連動または非連動に変更させる連動/非連動選択手段と、
を備えること特徴とする請求項５記載の共焦点レーザ顕微鏡。
【請求項７】
観察対象の上に集光したレーザ光を２次元走査しながら顕微鏡画像を取得する共焦点レーザ顕微鏡であって、
前記観察対象に前記レーザ光または別の照明光を照射して、該観察対象の複数の画像を生成する画像生成手段と、
前記画像生成手段で生成された前記複数の画像を同一画面上に並べて表示する表示手段と、
前記画面上に並べて表示された複数の画像のズーム倍率、表示サイズ、表示位置、明るさ、およびコントラストのうち少なくとも１つの属性を変更する操作が可能な操作手段と、
前記操作手段により前記複数の画像のうち１つの画像を選択してズーム倍率、表示サイズ、表示位置、明るさ、およびコントラストのうち少なくとも１つの属性を変更操作した場合、選択されていない画像の属性を連動または独立して変更させる連動/非連動選択手段と、
を備えることを特徴とする共焦点レーザ顕微鏡。
【請求項８】
前記複数の画像は、前記レーザ光を前記観察対象に照射し、該観察対象により反射された反射光をピンホールを介して検出し、生成した画像、前記反射光をピンホールを介さずに検出し、生成した画像、および前記別の照明光を前記観察対象に照射し、該観察対象により反射された反射光をカメラにより撮像した画像のうち少なくとも２つの画像であること、
を特徴とする請求項７記載の共焦点レーザ顕微鏡。
【請求項９】
前記表示手段は、前記画面上に並べて表示された複数の画像の輝度プロファイルを該画面上に併せて表示すること、
を特徴とする請求項７記載の共焦点レーザ顕微鏡。
【請求項１０】
輝度プロファイル操作手段をさらに備え、前記輝度プロファイル操作手段の操作により前記複数の画像の輝度プロファイルの表示/非表示、スケールの変更、および表示位置の変更のうち少なくとも１つを連動または非連動に変更させる連動/非連動選択手段と、
を備えることを特徴とする請求項９記載の共焦点レーザ顕微鏡。
【請求項１１】
観察対象の上に集光したレーザ光を２次元走査しながら顕微鏡画像を取得する共焦点レーザ顕微鏡を制御するコンピュータのためのプログラムであって、
前記観察対象により反射された反射光から該観察対象の共焦点画像および非共焦点画像を同時に生成し、
前記共焦点画像と非共焦点画像を同一画面上に並べて表示する
処理を前記コンピュータに実行させることを特徴とするプログラム。
【請求項１２】
観察対象の上に集光したレーザ光を２次元走査しながら顕微鏡画像を取得する共焦点レーザ顕微鏡を制御するコンピュータのためのプログラムであって、
前記観察対象に前記レーザ光または別の照明光を照射して、該観察対象の複数の画像を生成し、
前記複数の画像を同一画面上に並べて表示し、
前記画面上に並べて表示された複数の画像のうち１つの画像を選択して、ズーム倍率、表示サイズ、表示位置、明るさ、およびコントラストのうち少なくとも１つの属性を変更操作した場合、選択されていない画像の属性を連動または独立して変更させる
処理を前記コンピュータに実行させることを特徴とするプログラム。
【手続補正２】
【補正対象書類名】明細書
【補正対象項目名】０００７
【補正方法】変更
【補正の内容】
【０００７】
本発明の第１の局面における共焦点レーザ顕微鏡は、観察対象の上に集光したレーザ光を２次元走査しながら顕微鏡画像を取得する共焦点レーザ顕微鏡であって、前記観察対象により反射された反射光から該観察対象の共焦点画像および非共焦点画像を同時に生成する画像生成手段と、前記画像生成手段で生成された前記共焦点画像と非共焦点画像を同一画面上に並べて表示する表示手段とを備えることを特徴とする。
【手続補正３】
【補正対象書類名】明細書
【補正対象項目名】０００９
【補正方法】変更
【補正の内容】
【０００９】
本発明の第３の局面において、第２の局面における共焦点レーザ顕微鏡は、さらに、比較観察のための保存画像を格納する画像格納手段を備え、共焦点画像、非共焦点画像、および保存画像のうち少なくとも２つの画像を表示手段の画面上に並べて表示することを特徴とする。
本発明の第４の局面において、第１の局面における共焦点レーザ顕微鏡は、前記画面上に並べて表示された複数の画像のズーム倍率、表示サイズ、表示位置、明るさ、およびコントラストのうち少なくとも１つの属性を変更する操作が可能な操作手段と、前記操作手段により前記複数の画像のうち１つの画像を選択してズーム倍率、表示サイズ、表示位置、明るさ、およびコントラストのうち少なくとも１つの属性を変更操作した場合、選択されていない画像の属性を連動または独立して変更させる連動/非連動選択手段とを備えることを特徴とする。
【手続補正４】
【補正対象書類名】明細書
【補正対象項目名】００１０
【補正方法】変更
【補正の内容】
【００１０】
本発明の第５の局面において、第１の局面における共焦点レーザ顕微鏡は、前記表示手段は、前記画面上に並べて表示された複数の画像の輝度プロファイルを該画面上に併せて表示することを特徴とする。
本発明の第６の局面において、第５の局面における共焦点レーザ顕微鏡は、輝度プロファイル操作手段をさらに備え、前記輝度プロファイル操作手段の操作により前記複数の画像の輝度プロファイルの表示/非表示、スケールの変更、および表示位置の変更のうち少なくとも１つを連動または非連動に変更させる連動/非連動選択手段とを備えること特徴とする。
【手続補正５】
【補正対象書類名】明細書
【補正対象項目名】００１１
【補正方法】変更
【補正の内容】
【００１１】
本発明の第７の局面における共焦点レーザ顕微鏡は、観察対象の上に集光したレーザ光を２次元走査しながら顕微鏡画像を取得する共焦点レーザ顕微鏡であって、前記観察対象に前記レーザ光または別の照明光を照射して、該観察対象の複数の画像を生成する画像生成手段と、前記画像生成手段で生成された前記複数の画像を同一画面上に並べて表示する表示手段と、前記画面上に並べて表示された複数の画像のズーム倍率、表示サイズ、表示位置、明るさ、およびコントラストのうち少なくとも１つの属性を変更する操作が可能な操作手段と、前記操作手段により前記複数の画像のうち１つの画像を選択してズーム倍率、表示サイズ、表示位置、明るさ、およびコントラストのうち少なくとも１つの属性を変更操作した場合、選択されていない画像の属性を連動または独立して変更させる連動/非連動選択手段とを備えることを特徴とする。
【手続補正６】
【補正対象書類名】明細書
【補正対象項目名】００１２
【補正方法】変更
【補正の内容】
【００１２】
本発明の第８の局面において、第７の局面における共焦点レーザ顕微鏡は、前記複数の画像は、前記レーザ光を前記観察対象に照射し、該観察対象により反射された反射光をピンホールを介して検出し、生成した画像、前記反射光をピンホールを介さずに検出し、生成した画像、および前記別の照明光を前記観察対象に照射し、該観察対象により反射された反射光をカメラにより撮像した画像のうち少なくとも２つの画像であることを特徴とする。
本発明の第９の局面において、第７の局面における共焦点レーザ顕微鏡は、前記表示手段は、前記画面上に並べて表示された複数の画像の輝度プロファイルを該画面上に併せて表示することを特徴とする。
本発明の第１０の局面において、第９の局面における共焦点レーザ顕微鏡は、輝度プロファイル操作手段をさらに備え、前記輝度プロファイル操作手段の操作により前記複数の画像の輝度プロファイルの表示/非表示、スケールの変更、および表示位置の変更のうち少なくとも１つを連動または非連動に変更させる連動/非連動選択手段とを備えることを特徴とする。